【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
複数の画像データを特定の規則に従って並べた配列に基づいて表示する表示制御装置であって、
前記配列の中の１つの画像データを基準として、前記配列における画像データの並びから、設定された間隔で画像データを抽出する抽出手段と、
前記抽出手段で抽出された、前記基準の画像データを含む複数の画像データを、前記配列の順番に基づいて表示部の画面上に配置して表示させる表示制御手段と、
前記抽出手段で用いられる前記基準の画像データまたは前記間隔をユーザからの指示に基づいて変更し、変更された基準の画像データまたは変更された間隔でもって前記抽出手段と前記表示制御手段を機能させることにより、前記表示部の表示を変更する変更手段とを備えることを特徴とする表示制御装置。
【請求項２】
前記画像データは、静止画データもしくは動画データの本体データ及びサムネイル、及び動画データ中の特定の期間のいずれかであることを特徴とする請求項１に記載の表示制御装置。
【請求項３】
前記表示制御手段は、前記抽出手段で抽出された前記複数の画像データのうち、前記基準となる画像データを予め定められた複数の表示位置のうちの所定の位置に配置し、他の画像データを、前記配列において前記基準となる画像データに近い順に、前記基準となる画像データの表示位置に隣接する表示位置から順次に配置することを特徴とする請求項１または２に記載の表示制御装置。
【請求項４】
前記画面のスクロールの操作の後に前記所定の位置に新たに表示された画像データを前記基準の画像データに設定する設定手段を更に備えることを特徴とする請求項３に記載の表示制御装置。
【請求項５】
ユーザにより指定された配列条件を受け付け、画像データの各々が有するメタデータと前記配列条件に基づいて複数の画像データの配列を生成する配列生成手段を更に備えることを特徴とする請求項１乃至４のいずれか１項に記載の表示制御装置。
【請求項６】
前記変更手段は、前記間隔の変更の指示が、間隔を広める指示であった場合、前記基準の画像データに隣接されて表示されている画像データを、前記抽出手段にて新たに抽出された画像データの中で、前記配列の並び順において、前記隣接されて表示されている画像データから基準の画像データへの側と反対側に配列された画像データに表示の変更をすることを特徴とする請求項１乃至５のいずれか１項に記載の表示制御装置。
【請求項７】
前記変更手段は、前記間隔の変更の指示が、間隔を狭める指示であった場合、前記基準の画像データに隣接されて表示されている画像データを、前記抽出手段にて新たに抽出された画像データの中で、前記配列の並び順において、前記隣接されて表示されている画像データと基準の画像データとの間に配列された画像データに表示の変更をすることを特徴とする請求項１乃至５のいずれか１項に記載の表示制御装置。
【請求項８】
前記表示制御手段は、前記変更手段によって表示を変更した際に、表示する画像データの大きさを変更しないことを特徴とする請求項１乃至５のいずれか１項に記載の表示制御装置。
【請求項９】
複数の画像データを特定の規則に従って並べた配列に基づいて表示する表示制御装置による表示制御方法であって、
抽出手段が、前記配列の中の１つの画像データを基準として、前記配列における画像データの並びから、設定された間隔で画像データを抽出する抽出工程と、
表示制御手段が、前記抽出工程で抽出された、前記基準の画像データを含む複数の画像データを、前記配列の順番に基づいて表示部の画面上に配置して表示させる表示制御工程と、
変更手段が、前記抽出工程で用いられる前記基準の画像データまたは前記間隔をユーザからの指示に基づいて変更し、変更された基準の画像データまたは変更された間隔でもって前記抽出工程と前記表示制御工程を実行することにより、前記表示部の表示を変更する変更工程とを有することを特徴とする表示制御方法。
【請求項１０】
前記画像データは、静止画データもしくは動画データの本体データ及びサムネイル、及び動画データ中の特定の期間のいずれかであることを特徴とする請求項９に記載の表示制御方法。
【請求項１１】
前記表示制御工程は、前記抽出工程で抽出された前記複数の画像データのうち、前記基準となる画像データを予め定められた複数の表示位置のうちの所定の位置に配置し、他の画像データを、前記配列において前記基準となる画像データに近い順に、前記基準となる画像データの表示位置に隣接する表示位置から順次に配置することを特徴とする請求項９または１０に記載の表示制御方法。
【請求項１２】
前記変更工程は、前記画面のスクロールの操作の後に前記所定の位置に新たに表示された画像データを前記基準の画像データに設定する設定手段を更に備えることを特徴とする請求項１１に記載の表示制御方法。
【請求項１３】
配列生成手段が、ユーザにより指定された配列条件を受け付け、画像データの各々が有するメタデータと前記配列条件に基づいて複数の画像データの配列を生成する配列生成工程を更に備えることを特徴とする請求項９乃至１２のいずれか１項に記載の表示制御方法。
【請求項１４】
前記変更工程は、前記間隔の変更の指示が、間隔を広める指示であった場合、前記基準の画像データに隣接されて表示されている画像データを、前記抽出工程にて新たに抽出された画像データの中で、前記配列の並び順において、前記隣接されて表示されている画像データから基準の画像データへの側と反対側に配列された画像データに表示の変更をすることを特徴とする請求項９乃至１３のいずれか１項に記載の表示制御方法。
【請求項１５】
前記変更工程は、前記間隔の変更の指示が、間隔を狭める指示であった場合、前記基準の画像データに隣接されて表示されている画像データを、前記抽出工程にて新たに抽出された画像データの中で、前記配列の並び順において、前記隣接されて表示されている画像データと基準の画像データとの間に配列された画像データに表示の変更をすることを特徴とする請求項９乃至１３のいずれか１項に記載の表示制御方法。
【請求項１６】
前記表示制御工程では、前記変更工程において表示を変更した際に、表示する画像データの大きさを変更しないことを特徴とする請求項９乃至１３のいずれか１項に記載の表示制御方法。
【請求項１７】
請求項９乃至１６のいずれか１項に記載の表示制御方法の各工程をコンピュータに実行させるプログラム。
【請求項１８】
請求項９乃至１６のいずれか１項に記載の表示制御方法の各工程をコンピュータに実行させるプログラムを格納したコンピュータ読み取り可能な記憶媒体。
【手続補正２】
【補正対象書類名】明細書
【補正対象項目名】０００９
【補正方法】変更
【補正の内容】
【０００９】
上記の目的を達成するための本発明の他の態様による表示制御方法は、
複数の画像データを特定の規則に従って並べた配列に基づいて表示する表示制御装置による表示制御方法であって、
抽出手段が、前記配列の中の１つの画像データを基準として、前記配列における画像データの並びから、設定された間隔で画像データを抽出する抽出工程と、
表示制御手段が、前記抽出工程で抽出された、前記基準の画像データを含む複数の画像データを、前記配列の順番に基づいて表示部の画面上に配置して表示させる表示制御工程と、
変更手段が、前記抽出工程で用いられる前記基準の画像データまたは前記間隔をユーザからの指示に基づいて変更し、変更された基準の画像データまたは変更された間隔でもって前記抽出工程と前記表示制御工程を実行することにより、前記表示部の表示を変更する変更工程とを有する。